(57)【要約】【課題】  片手で工具を着脱することができ、逆さにしても工具が抜け落ちることがないソケットを提供する。【解決手段】  コネクタと、環状カバーとを含んでなり、コネクタがドライバを挿設するために設けられた多角形の収納槽と、係止部材を挿入するために、上方に設けられた少なくとも一つの孔と、球体を挿入するために、下方に設けられた少なくとも一つの孔と、該収納槽の下方に設けられた円形槽と、該円形槽の内部に設けられた弾性体と位置決めブロックと、該位置決めブロックがコネクタの下方の孔に対応する位置に形成された三角形の凹部とを具えてなり、環状カバーが、コネクタの外側に設けられ、弾性体でコネクタと互いに押圧して弾性力を具えてなり、内壁に設けられた押圧壁と、コネクタの下方の孔の位置に対応するように設けられた凹部と、該押圧壁は内壁面が球体を位置決めブロックの凹溝に押圧して環状カバーと、位置決めブロックを位置決めするために斜度を具えた面（或いは曲面）からなる。【選択図】  図１３
0003140982.tif 000002
【実用新案登録請求の範囲】
【請求項１】
コネクタと、環状カバーとを含んでなり、
該コネクタがドライバを挿設するために設けられた多角形の収納槽と、係止部材を挿入するために、上方に設けられた少なくとも一つの孔と、球体を挿入するために、下方に設けられた少なくとも一つの孔と、該収納槽の下方に設けられた円形槽と、該円形槽の内部に設けられた弾性体と位置決めブロックと、該位置決めブロックがコネクタの下方の孔に対応する位置に形成された三角形の凹部とを具えてなり、
該環状カバーが、コネクタの外側に設けられ、弾性体でコネクタと互いに押圧して弾性力を具えてなり、内壁に設けられた押圧壁と、コネクタの下方の孔の位置に対応するように設けられた凹部と、該押圧壁は内壁面が球体を位置決めブロックの凹溝に押圧して環状カバーと位置決めブロックを位置決めするために斜度を具えた面（或いは曲面）からなり、
環状カバーを上方に押し上げる必要がなく、ドライバを片手で直接、コネクタに挿入して位置決めすることができるとともに、環状カバーを挿入したドライバと同じ方向に後退させて、環状カバーの斜度を具えた面（或いは曲面）からなる押圧壁で、コネクタ内の係止部材を押圧し、係止部材がドライバを挟持して位置決めし、ドライバを取り外す場合には環状カバーを位置決めする箇所まで上方に押し上げ、ドライバを位置決めされる箇所をわずかに離れて挟持することにより、収納槽から抜け落ちることがなく、片手で自由に着脱することができ、環状カバーを上方に押し上げる動作からなるため、工具を操作している間に誤って環状カバーに接触、或いはぶつかったりしてもドライバが外れることがない構造からなることを特徴とするソケット。
【請求項２】
前記コネクタ内部の位置決めブロックが、上方に凹溝が設けられ、該凹溝に磁性ブロックが嵌合されることを特徴とする請求項１に記載のソケット。
【請求項３】
前記コネクタ内部の位置決めブロックが下方に凹溝を形成し、該凹溝には弾性体が嵌合され、該弾性体がバネであることを特徴とする請求項１に記載のソケット。
【考案の詳細な説明】
【技術分野】
【０００１】
この考案は、ソケットに関し、特に工具を着脱自在に接続することができるソケットに関する。
【背景技術】
【０００２】
従来のドライバのソケットは、図１、図２に開示するように、中華民国特許登録番号第８７２１０２５９号の空気圧工具のチャック装置であって、外カバー１０と、該外カバー１０に設けられた大型弾性体１１と、柱体１２とを含んでなる。
【０００３】
該柱体１２は、内側に小型弾性体１３と、滑動座１４と、筒体１５とを含んでなり、Ｃ型のリング１６と、上蓋１７とで前述の部材を固定し、柱体１２の底部には桿体１８を設けてなる。該桿体１８は、空気圧工具に接続する。
【０００４】
該大型弾性体１１は内部で自由、或いは圧縮された状態を呈する。また、柱体１２の外周面には適宜な位置に左右対称に収納槽１５１が設けられ、滑動座１４の上端底部にドライバ１を引き付けるために便利なようにマグネット１４１を固定して設ける。
【０００５】
上述の製品は、ドライバ１を設ける場合、必ず、外カバー１０を下方向に引き、外カバー１０の内壁１０１の突出した部分が球体１０２を押圧しないようにして、球体１０２を外方向に移動させなければ、ドライバ１を筒体１５の内部に設けることができない。
【０００６】
即ち、使用者は片方の手でハンドルを握って外カバー１０を下方向に引き、もう一方の手でドライバ１を筒体１５の内部に設けなればならない。よって、使用者は片手でドライバ１を挿設することができないため、使用上不便である。
【０００７】
また、外カバー１０は、下方向に押すと、ドライバ１を外すことができるように構成されている。よって、使用時にしばしば外カバー１０に誤って接触、或いはぶつかったりすることがあるが、そのような場合、外カバー１０が瞬時に下方向に移動して、ドライバ１が抜け落ちるため、使用者にとって非常に不便である。
【０００８】
図３、図４、図５は、アメリカ合衆国特許登録番号第５９３４３８４号を示したものである。図面によれば、この製品は、該コネクタ２０（コネクタ２０の底部にはハンドルを接続することができる）と、コネクタ２０の外周面を被覆するように設けられた環状カバー２５と、該コネクタ２０の内側に形成された六角形の位置決め孔２１と、該コネクタ２０の外周面上に形成された二つの環状凹部２２、２３とを含んでなる。
【０００９】
該環状凹部２２は、孔２２１を具えてなり、環状凹部２２は弧型の片２４を設けるために供する。弧型の片２４は、中間に設けられた凸部２４１（図５参照）が環状凹部２２の孔２２１に挿設される。
【００１０】
もう一方の環状凹部２３は、Ｃ型リング２３１を設けるために供する。該Ｃ型リング２３１は、バネ２０１を押圧するため、環状カバー２５が上方に移動する弾性を具えてなる。該環状カバー２５は一端の口径が小さくなるように内壁が斜めに形成される。
【００１１】
該環状カバー２５を下方向に移動させると、内壁が釣り鐘状に斜めに形成されているため、弧型の片２４を押圧して凸部２４１が内側に押圧されてドライバ４の外周面に形成された三角の凹溝５に係合する。よって、ドライバ４がコネクタ２０の内部に位置決めされる。
【００１２】
また、環状カバー２５を上方向に移動させると、該環状カバー２５の内壁が弧型の片２４を押圧しなくなるため、凸部２４１が外方向に移動し、ドライバ４が緩められる。よって、コネクタ２０からドライバ４を取り外すことができる。
【００１３】
上述の製品は、ドライバ４を組み合わせる場合、必ず、環状カバー２５を上方に移動させて、環状カバー２５の斜めに形成された内壁が弧型の片２４を押圧しないようにして、凸部２４１を外方向に移動させてからでないと、ドライバ４をコネクタ２０内部の六角形の位置決め孔２１に設けることができない。
【００１４】
即ち、使用者が片手でコネクタ２０を握って環状カバー２５を上方に移動させて、もう一方の手でドライバ４を六角形の位置決め孔２１に設けなければならない。よって、使用者が片手でドライバ４を挿設することができないため、使用上不便である。
【００１５】
ドライバ４を緩めて外す場合、ドライバ４が下に向いていると、該ドライバ４が重力で地面に落ちる。ドライバ４を緩めると、一時的にも位置決めすることができずに地面へ落ちるため、使用者がドライバ４を拾わなければなくなり、不便である。
【００１６】
また、ドライバ４を緩めて外す場合、両手でドライバ４を取り出さす操作をしなければならない。即ち、必ず上端まで環状カバー２５を押し上げていかなければドライバ４を外すことができないため、片手で環状カバー２５を上方に押し上げることができない。
【００１７】
即ち、片手で環状カバー２５を上方に押し上げて、もう一方の手でドライバ４を取り出さなければならない。
【００１８】
弧型の片２４は、略半円を呈した板片であって、成型する場合、該凸部２４１と片２４とを同じ厚さに形成する。その後、加工の過程において、別に凸部２４１を磨いて薄くしなければ環状凹部２２の孔２２１に挿設することができないため、製造工程が増加する。
【００１９】
また、凸部２４１が適宜な薄さでない場合、凸部２４１を環状凹部２２の孔２２１に挿設する場合に不都合が生じて不良品になる。
【００２０】
図６は、アメリカ合衆国特許登録番号第３７６７２１８号を示したものである。該製品は、コネクタ３０と、該コネクタ３０の外周面を被覆するように設ける環状カバー３５と、該環状カバー３５の下方に螺接するナット３６と、該コネクタ３０の内側に形成された多角形の位置決め孔３１と、該コネクタ３０の側面の適宜な位置に、環状に二つ形成された大型凹孔３２と、小型凹孔３３と、該大型凹孔３２に嵌合される大型球体３２１と、小型凹孔３３に嵌合される小型球体３３１と、該コネクタ３０とナット３６との間に設けられるバネ３０１と、該コネクタ３０の外側に設けられたＣ型リング３４と、を含んでなる。
【００２１】
該Ｃ型リング３４は、バネ３０１を押圧するために供するため、環状カバー３５が下方向に移動する弾性を具えてなる。
【００２２】
また、環状カバー３５の内壁が斜めに形成されているため、該環状カバー３５を下方向に向けて移動させると、大型球体３２１、小型球体３３１がそれぞれ押圧されるため、大型球体３２１と、小型球体３３１とがドライバ６を押圧して、ドライバ６がコネクタ３０内部に位置決めされる。
【００２３】
該環状カバー３５を上方に向けて移動させると、内壁が大型球体３２１と、小型球体３３１を押圧しなくなるため、ドライバ６が緩められて外すことが出来る状態になり、コネクタ３０からドライバ６を取り外すことができる。
【００２４】
上述の製品も、其の他従来の製品と同様、先に必ず環状カバー３５を上方に押し上げなければドライバを組み合わせることができず、ドライバ４を片手で直接、コネクタ３０の内部に設けることができないという欠点がある。
【００２５】
また、ドライバ６を緩めて外す場合、ドライバ６が下に向いていると、ドライバ６が抜け落ちる。ドライバ６を緩めて外す場合、一時的にでも位置決めすることができないため、ドライバ６が抜け落ちて不便である。
【００２６】
該ドライバ６を緩めて外す場合、環状カバー３５を必ず上端まで押し上げなければ外すことができないため、両手で操作してドライバ６を取り出さなければならず、片手では操作することができない。
【００２７】
即ち、片手で環状カバー３５を上方に押し上げ、もう一方の手でドライバ６を取り出さなければならない。
【００２８】
上述の従来の技術ではいずれも環状カバーの内壁を斜めに形成して球体を押圧するか、或いは弾性を具えていない弧型の片（外周により形成される角度が１８０度よりも小さい）を押圧している。
【００２９】
図７、図８は、アメリカ合衆国特許登録第６３１１９８９号を示したものである。該製品は、コネクタ４０と、該コネクタ４０の外周面を被覆するように設けられた環状カバー４５と、該コネクタ４０の内部に形成された多角形の位置決め孔４１と、該コネクタ４０の側面の異なる適宜な位置に形成された凹孔４２、４３と、該凹孔４２に嵌合される球体４２１と、該凹孔４３に嵌合される球体４３１と、該コネクタ４０と、環状カバー４５との間に設けられるバネ４０１と、該コネクタ４０の外周面に設けられ、該バネ４０１を押圧するために供する係止リング４４と、を含んでなる。
【００３０】
該係止リング４４がバネ４０１を押圧するため、環状カバー４５が弾性を具えてなり、環状カバー４５は内壁が斜めに形成されている。
【００３１】
よって、環状カバー４５を下方向に押圧すると、球体４２１、４３１が押圧されて、球体４２１、４３１がドライバ１を押圧する。よって、ドライバ１がコネクタ４０の内部に位置決めされる。
【００３２】
該環状カバー４５を上方に移動させると、内壁が球体４２１、４３１を押圧しないため、ドライバ１が緩められて、コネクタ４０からドライバ１を外すことができる。
【００３３】
上述の製品の欠点は、ドライバ１を環状凹部３、或いは三角凹溝にのみ設けることができ、他の規格には適用させることができない。また、片手で直接、ドライバ１をコネクタ４０の内部に設けることができず、必ず、環状カバー４５を上方に押し上げてからでなければドライバ１をコネクタ４０の内部に設けることができない。
【００３４】
また、コネクタ４０を緩めてドライバ１を外す場合、製品を逆さにすればドライバ１がすぐに抜け落ち、一時的にドライバ１を挟持ことができないため、不便である。
【００３５】
ドライバ１を外す場合、両手で操作してドライバ１を取り出さなければならず、片手で操作することができない。環状カバー４５を上端まで押し上げなければ緩めることができないため、片手で環状カバー４５を押し上げ、もう一方の手でドライバ１を取り出さなければならない。
【００３６】
図９は、ドイツ特許登録第ＤＥ１０２００４０１１５７９Ａ１号を示したものである。該製品は、コネクタ５０と、該コネクタ５０の外周面を被覆するように設けられた環状カバー５５と、該コネクタ５０の内部に形成された多角形の位置決め孔５１と、該コネクタ５０の側面の異なる適宜な位置に形成された大型凹孔５２、及び小型凹孔５３と、該大型凹孔５２に嵌合される球体５２１と、該小型凹孔５３に嵌合される球体５３１と、該コネクタ５０の適宜な位置に形成される三角突起５０２と、該コネクタ５０と環状カバー５５との間に設けられるバネ５０１と、該コネクタ５０の外周面に設けられ、該バネ５０１を押圧するために供する係止リング５４と、を含んでなる。
【００３７】
該係止リング５４と該三角突起５０２とは相互に押圧して環状カバー５５を上下に位置決めするために供する。該バネ５０１は、コネクタ５０に弾性を供する。また、環状カバー５５は内壁が斜めに形成されている。
【００３８】
よって、環状カバー５５を下方向に移動させると、球体５２１、５３１が押圧されて、球体５２１、５３１がドライバ１を押圧する。よって、ドライバ１がコネクタ５０の内部に位置決めされる。
【００３９】
該環状カバー５５を上方に移動させると、内壁が球体５２１、５３１を押圧しないため、ドライバ１が緩められて、コネクタ５０からドライバ１を取り外すことができる。
【００４０】
上述の製品は、他の従来の実施例と略同様の構造であって、いくつかの部分だけが改良されているが、片手で直接、ドライバ１をコネクタ５０の内部に設けることができず、必ず、環状カバー５５を上方に押し上げてからでなければドライバ１をコネクタ５０の内部に設けることができない。
【００４１】
また、コネクタ５０を外すことができるようにドライバ１が緩められている場合、製品を逆さにすればドライバ１がすぐに抜け落ち、一時的にドライバ１を挟持ことができないため、不便である。
【００４２】
上述した従来の複数の実施例はいずれも、環状カバーの平面、或いは斜度を具えた内壁で球体を押圧するものであって、大きな違いが見られない。また、いずれも片手で直接、ドライバをコネクタの内部に設けることができない、一時的にドライバを挟持することができない、或いは環状カバーに誤って触れる、或いは接触した場合、ドライバが外れる、という欠点がある。
【００４３】
図１０、図１１は、中華民国特許登録番号第９２２１９５６６号のドライバのソケットであって、本体６０と、内部ソケット６１と、吸着部材６２と、ドライバ４を設けるために該本体６０の一端に形成された接続孔６３と、該接続孔６３の内壁面の適宜な位置から外方向に貫通して形成された溝６４と、該内部ソケット６１に形成された孔６５と、該孔６５に嵌合される球体６６と、該本体６０の外周面の一部を被覆するように設けられた滑動部材６７と、を含んでなる。
【００４４】
該内部ソケット６１は、本体６０の外周面に形成された溝６４の外側の適宜な位置で、孔６５が溝６４に対応するように設けられ、該孔６５には球体６６が嵌合される。
【００４５】
該滑動部材６７は、本体６０の外側で、且つ内部ソケット６１を被覆するように設けられる。また、滑動部材６７は、球体６６に対応する内壁面が互いに隣接するように形成された段状に凹設された凹部６７１が形成される。また、滑動部材６７の他端と内部ソケット６１との間に弾性体６８が設けられる。
【００４６】
該球体６６は、一端が滑動部材６７の凹部６７１に押圧されると、他端がドライバ４を挿接するための経路から横に突出する。
【００４７】
吸着部材６２は、弾性回復体６２１及び吸着体６２２とを組み合わせてなり、接続孔６３の内部に設けられて、磁性及び伸縮する弾性を具えてなる。
【００４８】
よって、上述の実施例では、片手で簡単に、且つ安定してドライバ４を挿接、交換などの操作を行うことができる。
【００４９】
また、該ドライバ４を接続孔６３に設ける場合、弾性回復体６２１を圧縮し、吸着体６２２で吸着する。ドライバ４を位置決めする力を解除すると、該弾性回復体６８の力を受けてドライバ４が接続孔６３から外れるが、適時に吸着体６２２で吸着されるため、使用者がドライバ４を取り出す時に便利である。
【００５０】
上述の実施例では、滑動部材６７を下方向に引き下げる必要がなく、片手で直接ドライバ４を接続孔６３の内部に挿接することができる。
【００５１】
即ち、ドライバ４を挿接する場合には、滑動部材６７を動かさず、内部ソケット６１と弾性体６８とを圧縮して位置を移動させて、球体６６を下方に移動し、ドライバ４を接続孔６３の内部に挿接するために供する。
【００５２】
ドライバ４を位置決めする力を解除すると、弾性体６８がドライバ４の接続孔６３から勢いよく外れるが、吸着体６２２で吸着されて抜け落ちることがない。
【００５３】
ドライバ４は、内部ソケット６１と弾性体６８の圧縮で位置を移動して球体６６を下方に移動させて位置決めする力を解除する。滑動部材６７を下方に引いて球体６６を下方に移動しても、吸着体６２２により吸着されているため、ドライバ４が抜け落ちることがない。
【００５４】
吸着体６２２が設けられていない場合、逆さにすると、ドライバ４が地面に落ちてくるとともに、ドライバ4を取り外す時には、両手で操作してドライバ4を取り外さなければならず、片手で操作することができない。
【００５５】
即ち、滑動部材６７を上端まで押し上げなければ位置決めを緩めることができないため、片手で滑動部材６７を上方に押し上げ、もう一方の手でドライバ4を取り出さなければならない。
【００５６】
また、片手で直接ドライバ４を接続孔６３に挿接するためには、球体６６の上下移動、及び球体６６の内・外側への移動によって発生する連動関係でも実施することができる。
【００５７】
即ち、ドライバ４を挿接する場合、球体６６は、ドライバ４により下方に移動される（この実施例での球体は上下に移動しない。また、この実施例ではいかなる内部ソケットも明確に区分されていない）。
【００５８】
さらに、アメリカ合衆国特許登録番号第７０６３３３２号は、図１０、図１１に開示する上述の中華民国特許登録番号第９２２１９５６６号のドライバのソケットと略同じであるが、この実施例では、弾性体が直接、球体を押圧し、内部ソケットを必要としない。
【００５９】
しかしながら、ドライバを片手で直接、接続孔に挿接することができるが、ドライバを外す場合には逆さにすればドライバをいつでも外すことができる（内部には、ドライバを吸着する磁石が設けられていない）。よって、上述の中華民国特許登録番号第９２２１９５６６号と同じ欠点を具えており、片手でドライバを外すことができない。
【考案の開示】
【考案が解決しようとする課題】
【００６０】
この考案は、片手で工具を着脱することができ、逆さにしても工具が抜け落ちることがないソケットを提供することを課題とする。
【課題を解決するための手段】
【００６１】
そこで、本考案者は従来の技術に見られる欠点に鑑みて鋭意研究を重ねた結果、コネクタと、環状カバーとを含んでなり、
該コネクタがドライバを挿設するために設けられた多角形の収納槽と、係止部材を挿入するために、上方に設けられた少なくとも一つの孔と、球体を挿入するために、下方に設けられた少なくとも一つの孔と、該収納槽の下方に設けられた円形槽と、該円形槽の内部に設けられた弾性体と位置決めブロックと、該位置決めブロックがコネクタの下方の孔に対応する位置に形成された三角形の凹部とを具えてなり、
該環状カバーが、コネクタの外側に設けられ、弾性体でコネクタと互いに押圧して弾性力を具えてなり、内壁に設けられた押圧壁と、コネクタの下方の孔の位置に対応するように設けられた凹部と、該押圧壁は内壁面が球体を位置決めブロックの凹溝に押圧して環状カバーと位置決めブロックを位置決めするために斜度を具えた面（或いは曲面）からなり、
環状カバーを上方に押し上げる必要がないため、ドライバを片手で直接、コネクタに挿入して位置決めすることができるとともに、環状カバーを挿入したドライバと同じ方向に後退させて、環状カバーの斜度を具えた（或いは曲面）面からなる押圧壁で、コネクタ内の係止部材を押圧し、係止部材がドライバを挟持して位置決めし、ドライバを取り外す場合には環状カバーを位置決めする箇所まで上方に押し上げれば、それより上方に押し上げる必要がなく、ドライバは位置決めされる箇所をわずかに離れても挟持されるため、収納槽から抜け落ちることがなく、片手で自由に着脱することができ、環状カバーを上方に押し上げる動作からなるため、工具を操作している間に誤って環状カバーに接触、或いはぶつかったりしてもドライバが外れることがない構造からなるソケットの構造によって課題を解決できる点に着眼し、かかる知見に基づいて本考案を完成させた。
【００６２】
以下、この考案について具体的に説明する。
請求項１に記載のソケットが、コネクタと、環状カバーとを含んでなり、
該コネクタがドライバを挿設するために設けられた多角形の収納槽と、係止部材を挿入するために、上方に設けられた少なくとも一つの孔と、球体を挿入するために、下方に設けられた少なくとも一つの孔と、該収納槽の下方に設けられた円形槽と、該円形槽の内部に設けられた弾性体と位置決めブロックと、該位置決めブロックがコネクタの下方の孔に対応する位置に形成された三角形の凹部とを具えてなり、
該環状カバーが、コネクタの外側に設けられ、弾性体でコネクタと互いに押圧して弾性力を具えてなり、内壁に設けられた押圧壁と、コネクタの下方の孔の位置に対応するように設けられた凹部と、該押圧壁は内壁面が球体を位置決めブロックの凹溝に押圧して環状カバーと位置決めブロックを位置決めするために斜度を具えた面（或いは曲面）からなり、
環状カバーを上方に押し上げる必要がないため、ドライバを片手で直接、コネクタに挿入して位置決めすることができるとともに、環状カバーを挿入したドライバと同じ方向に後退させて、環状カバーの斜度を具えた（或いは曲面）面からなる押圧壁で、コネクタ内の係止部材を押圧し、係止部材がドライバを挟持して位置決めし、ドライバを取り外す場合には環状カバーを位置決めする箇所まで上方に押し上げれば、それより上方に押し上げる必要がなく、ドライバは位置決めされる箇所をわずかに離れても挟持されるため、収納槽から抜け落ちることがなく、片手で自由に着脱することができ、環状カバーを上方に押し上げる動作からなるため、工具を操作している間に誤って環状カバーに接触、或いはぶつかったりしてもドライバが外れることがない構造からなる。
【００６３】
請求項２に記載のソケットは、請求項１におけるコネクタ内部の位置決めブロックが、上方に凹溝が設けられ、該凹溝に磁性ブロックが嵌合される。
【００６４】
請求項３に記載のソケットは、請求項１におけるコネクタ内部の位置決めブロックが、下方に凹溝を形成し、該凹溝には弾性体が嵌合され、該弾性体がバネである。
【考案の効果】
【００６５】
この考案によるソケットは、片手で着脱することができ、取り外す場合に逆さにしても工具が抜け落ちることがないため、便利であるという効果を有する。
【考案を実施するための最良の形態】
【００６６】
この考案は、片手で工具を着脱することができ、逆さにしても工具が抜け落ちることがないソケットであって、コネクタと、環状カバーとを含んでなり、
該コネクタがドライバを挿設するために設けられた多角形の収納槽と、係止部材を挿入するために、上方に設けられた少なくとも一つの孔と、球体を挿入するために、下方に設けられた少なくとも一つの孔と、該収納槽の下方に設けられた円形槽と、該円形槽の内部に設けられた弾性体と位置決めブロックと、  該位置決めブロックがコネクタの下方の孔に対応する位置に形成された三角形の凹部とを具えてなり、
該環状カバーが、コネクタの外側に設けられ、弾性体でコネクタと互いに押圧して弾性力を具えてなり、内壁に設けられた押圧壁と、コネクタの下方の孔の位置に対応するように設けられた凹部と、該押圧壁は内壁面が球体を位置決めブロックの凹溝に押圧して環状カバーと位置決めブロックを位置決めするために斜度を具えた面（或いは曲面）からなり、
環状カバーを上方に押し上げる必要がないため、ドライバを片手で直接、コネクタに挿入して位置決めすることができるとともに、環状カバーを挿入したドライバと同じ方向に後退させて、環状カバーの斜度を具えた（或いは曲面）面からなる押圧壁で、コネクタ内の係止部材を押圧し、係止部材がドライバを挟持して位置決めし、ドライバを取り外す場合には環状カバーを位置決めする箇所まで上方に押し上げれば、それより上方に押し上げる必要がなく、ドライバは位置決めされる箇所をわずかに離れても挟持されるため、収納槽から抜け落ちることがなく、片手で自由に着脱することができ、環状カバーを上方に押し上げる動作からなるため、工具を操作している間に誤って環状カバーに接触、或いはぶつかったりしてもドライバが外れることがない構造と特徴を詳述するために具体的な実施例を挙げ、図示を参照にして以下に説明する。
【実施例】
【００６７】
この考案のソケットの実施形態を図１２から１６に開示す。この考案のソケットは、コネクタ７０と、環状カバー７１とを含んでなる。
【００６８】
該コネクタ７０は、外周面の一側面の上・下方にそれぞれ孔７２、７８が形成される。該上方の孔７２には、係止部材７３が設けられ、該係止部材７３は、球体（鋼製の球体）であって、円弧状の係止面を具えてなる。該下方の孔７８にも、球体７８１（鋼製の球体）が設けられる。
【００６９】
該コネクタ７０は内部上方半分の部分に多角形の収納槽７４（一般には六角形、或いは四角形の槽）が設けられ、ドライバ４を挿入するために供する。
【００７０】
また、該コネクタ７０内部の下方半分の部分で、多角形の収納槽７４の下方には円形槽７５が形成される。該円形槽７５は、収納槽７４よりも深さが浅く、内部には弾性体７６１と、位置決めブロック７６が設けられるため、該弾性体７６１が位置決めブロック７６に弾性を提供する。
【００７１】
該位置決めブロック７６は、偏平な円筒形を呈し、外周面の両側に対照に三角形の凹溝７６２を具えてなる。該凹溝７６２は、内側に凹んだ側面の上方斜辺７６２１と、下方斜辺７６２２が交わって形成され、上方斜辺７６２１の長さは、下方斜辺７６２２よりも短く形成される。
【００７２】
また、該位置決めブロック７６の底部には内側に凹設した下方凹溝７６５を具えてなる。該下方凹溝７６５には、弾性体７６１が嵌設される。該弾性体７６１は、バネとする。
【００７３】
該コネクタ７０は、底部にハンドルを接続する。該コネクタ７０の下方には凸縁部７０１が設けられる。
【００７４】
該環状カバー７１は、コネクタ７０の外側を被覆するように設けられ、底部には内側へ突出した環状凸部７１１が形成される。
【００７５】
また、該コネクタ７０の外周面と環状カバー７１との間で、且つ凸縁部７０１と環状凸部７１１との間に形成される空間に弾性体７７が設けられる。該弾性体７７は、バネからなり、該凸縁部７０１と、環状凸部７１１とが弾性体７７を押圧するため、環状カバー７１が弾性を具える。
【００７６】
該環状カバー７１は、内壁上方に係止部材７３を押圧するために供する押圧壁７１２が形成される。該環状カバー７１の押圧壁７１２は、次第に内側に傾斜していくか、或いは曲面（壁に向って傾斜しない）からなる。
【００７７】
よって、環状カバー７１の上方の口径は上から下に向けて次第に広くなる。該環状カバー７１は、コネクタ７０の下方の孔７８に対応する位置に凹部７１３と内壁面７１４が設けられる。
【００７８】
この考案のソケットは、上述の組み合わせからなり、使用する場合、図１３に開示するように、ドライバ４を片手でコネクタ７０内部の多角形の収納槽７４（ドライバ４の底部は、収納槽７４と円形槽７５とが交差する部分に設けられる）に挿設することができる。
【００７９】
該環状カバー７１は、挿入したドライバ４と同じ方向に僅かに後退し、環状カバー７１を上方に押し上げる必要がない。また、該ドライバ4の底部が位置決めブロック７６を下方に押圧するため、位置決めブロック７６が移動できるまで下方に移動する。
【００８０】
よって、位置決めブロック７６の凹溝７６２の上方斜辺７６２１と下方斜辺７６２２とが環状カバー７１の内壁面７１４に球体７８１を押圧するため、環状カバー７１が弾性体７７の力で下方に移動する。即ち、環状カバー７１の内壁面７１４が凹溝７６２の方向へ内側に球体７８１を押圧する。
【００８１】
また、環状カバー７１の押圧壁７１２は、コネクタ７０の上方の孔７２内部の係止部材７３を押圧する。係止部材７３に対応する部分の環状カバー７１の押圧壁７１２の口径は比較的小さいため、押圧されると、ドライバ４の凹部５が係止部材７３に押圧されて、移動できなくなり、ドライバがコネクタ７０の収納槽７４内部に位置決めされる。
【００８２】
ドライバ４を位置決めする過程は、該係止部材７３が上下に移動せず、環状カバー７１が挿入したドライバ４と同じ方向に僅かに後退するだけでよい。よって、図１０、１１に開示した従来の製品の球体が上下に移動する構造とは異なる。
【００８３】
ドライバ４を取り外す場合、図１６に開示するように、環状カバー７１を上方に引き上げると環状カバー７１の凹部７１３がコネクタ７０下方の孔７８に位置するとともに、該位置決めブロック７６が弾性体７７の力で上方に移動し、位置決めブロック７６の凹溝７６２の下方斜辺７６２２が弾性力で球体７８１を押圧する。
【００８４】
よって、球体７８１が環状カバー７１の凹部７１３に向けて外方向へ移動し、コネクタ７０の下方の孔７８の球体７８１が嵌合されると、一時的に環状カバー７１が位置決めされて動かなくなる。
【００８５】
該環状カバー７１が動かないため、環状カバー７１を引き続き上方に引き上げる必要がない。また、該環状カバー７１の押圧壁７１２が、コネクタ７０上方の孔７２の係止部材７３を押圧しなくなる。即ち、該係止部材７３が環状カバー７１の押圧壁７１２の口径が比較的広い部分に位置するため、係止部材７３が押圧されず、ドライバ４が位置決めした状態を解除することができる。
【００８６】
前述の場合、ドライバ４は係止部材７３に押圧されないが、係止部材７３はドライバ４の外周面に接触している。よって、逆さにしてもドライバ４が抜け落ちることがなく、片手で簡単にドライバ４をコネクタ７０の収納槽７４から抜き出し、ドライバ４を完全にコネクタ７０から取り外すことができる。
【００８７】
この考案は、環状カバー７１を上方に押し上げ、環状カバー７１を下方に引き下げるものではない。よって、工具を使用する過程において、環状カバー７１に誤って接触、或いはぶつかる時に、ドライバ４が外れることがない。
【００８８】
この考案は、係止部材７３以外に、球体７８１が環状カバー７１の凹部７１３に連動する位置決めブロック７６に合わせて設けられている。係止部材７３がドライバ４を押圧すると、環状カバー７１が連動し、互いに適宜に滑動する。
【００８９】
図１７は、この考案の第二の実施形態を示したものである。図面によれば、位置決めブロック７６は上方に凹溝７６３を設けてなり、該凹溝７６３は内部に磁性ブロック７６４を嵌合する。該磁性ブロック７６４はドライバ４を吸着しているため、環状カバー７１を上方に引き上げてドライバ４を取り出す場合、係止部材７３がドライバ４の外周面に接触している他、磁性ブロック７６４が磁性を提供するため、ドライバ４が抜け落ちることがない。
【００９０】
環状カバー７１は、斜度を具えた曲面からなる押圧壁７１２を利用してコネクタ７０内部上方に設けられた係止部材７３を押圧、或いは緩めてコネクタ７０の収納槽７４内部に設けたドライバ４を位置決めする。
【００９１】
環状カバー７１を上方に引き上げると、弾性体７６１が位置決めブロック７６を上方に押し上げるため、ドライバ４が上方に向けてわずかに移動する。よって、凹溝５が係止部材７３に係合された状態から解除されるため、係止部材７３が凹溝５下方の側面が山になった部分に係合される。
【００９２】
このため、ドライバ４が収納槽７４に位置決めされ、重力でドライバ４が抜け落ちることがない。また、この考案は片手でドライバ４を収納槽７４から取り外すことができる。
【００９３】
この考案に適用するドライバ４は六角形で、面と面とが互いに交わる部分に三角形の凹溝５が形成され、コネクタ７０内部の係止部材７３が三角形の凹溝５に係合して位置決めされる。
【００９４】
また、前述のドライバ４だけでなく、図１８，１９に開示するドライバ１にも使用することができる。該ドライバ１は、六角形の外周面２に、環状凹部３が凹設され、該コネクタ７０内部の係止部材が三角形の凹溝５に係合して位置決めされる。
【００９５】
さらに、図２０、２１に開示するようなドライバ６でもよい。該ドライバ６は、六角形で、外周面に凹溝や環状凹部などが全く形成されていない。コネクタ７０内の係止部材７３が直接、ドライバ６の六角形の面を係合して位置決めする。
【００９６】
この考案の環状カバー７１は、斜度を具えた押圧壁７１２を具えてなり、多種多様なドライバ１、４，６を位置決めすることができ、且つドライバ１、４、６の位置決めを緩めた時に抜け落ちることがない。
【００９７】
上述の実施形態はいずれも、図２２、２３に開示するドライバ６を使用することができる。該ドライバ６は、外周が複数の平面７と山線８とを組み合わせてなる六角形の桿体で、係止部材７３がドライバ６のどれか一つの山線８を押圧すれば（コネクタ７０の孔７２が回転して移動する角度に形成され、該孔７２は、ドライバ６の山線８の位置に対応するように設けられる）、いずれも予想されるように位置決めの効果を得ることができる。
【００９８】
一般のドライバが位置決め槽（環状凹部）、或いは凹溝を具えているかどうかにかかわらず、平面７，或いは山線８を具えたドライバ６であれば、いずれもこの考案の実施形態を適用することができる。
【００９９】
この考案は、環状カバー７１を上方に押し上げる必要がなく、ドライバ１（４、６）を片手で直接、コネクタ７０に挿入して位置決めすることができる。また、環状カバー７１をドライバ１（４、６）と同じ方向に後退させて、環状カバー７１の斜度を具えた曲面からなる押圧壁７１２を利用すれば、コネクタ７０内部の係止部材７３を押圧し、該係止部材７３がドライバ１（４、６）を挟持して押圧して位置決めする。
【０１００】
ドライバ１（４、６）を取り外す場合には、環状カバー７１を位置決めする位置まで押し上げると、環状カバー７１が一時的に位置決めされ、環状カバー７１を引き続き押し上げる必要がなく、ドライバ１（４、６）が位置決めされる部分からわずかに離れた後も挟持されて、収納槽７４から抜け落ちることがない。
【０１０１】
また、片手で自由に着脱することができ、環状カバー７１を上方に押し上げるだけであるため、工具の使用中に、誤って環状カバー７１に接触、或いはぶつかっても、ドライバ１（４、６）が抜け落ちることがない。
【０１０２】
よって、従来の考案に見られるような、誤って接触、或いはぶつかった場合に、環状カバーが下方に押し下げられて、ドライバ１が抜け落ちるという欠点を解決した。
【０１０３】
また、この考案は、従来の考案では環状カバーを押し上げる場合、位置決めすることができないため、片手で押し上げて押さえつけながら、もう一方の手でドライバ１を取り外さなければならないという欠点を解決した。
【０１０４】
さらに、この考案では、従来の考案に見られるような一度ドライバを外すと、逆さにした場合に、ドライバが抜け落ちる、という欠点や、環状カバーを上方に押し上げる、或いは下方に引き下げなければドライバを挿入することができない、という欠点を解決した。
【０１０５】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【０１０６】
【図１】従来のドライバのソケットである中華民国特許番号第８７２１０２５９号を示した断面図である。
【図２】図１に開示したドライバのソケットの動作を示した説明図である。
【図３】従来のドライバのソケットであるアメリカ合衆国特許番号第５９３４３８４号を示した断面図である。
【図４】図３に開示したドライバのソケットを示した断面図である。
【図５】図３に開示したドライバのソケットの弧型片を示した説明図である。
【図６】従来のドライバのソケットであるアメリカ合衆国特許登録番号第３７６７２１８号を示した断面図である。
【図７】従来のドライバのソケットであるアメリカ合衆国特許登録番号第６３１１９８９号を示した断面図である。
【図８】図７に開示するドライバのソケットを示した断面図である。
【図９】従来のドライバのソケットであるドイツ特許登録番号第ＤＥ１０２００４０１１５７９号を示した断面図である。
【図１０】従来のドライバのソケットである中華民国特許登録番号第９２２１９５６６号を示した断面図である。
【図１１】図１０に開示する中華民国特許登録番号第９２２１９５６６号を示した断面図である。
【図１２】この考案のソケットを示した分解図である。
【図１３】図１２に開示するソケットを示した断面図である。
【図１４】図１２に開示するソケットの押圧壁が係止部材を押圧し、係止部材がドライバを押圧する状態を示した断面図である。
【図１５】図１２に開示するソケットを示した断面図である。
【図１６】図１２に開示するソケットを示した環状カバーを一時的に位置決めする状態の断面図である。
【図１７】この考案のソケットの他の実施形態を示した説明図である。
【図１８】この考案のソケットの係止部材を示した説明図である。
【図１９】図１８に開示したソケットの係止部材を示した断面図である。
【図２０】この考案のソケットの他の係止部材を示した説明図である。
【図２１】図２０に開示したソケットの係止部材を示した断面図である。
【図２２】図２０に開示したソケットの係止部材を示した断面図である。
【図２３】図２０に開示したソケットの係止部材を示した断面図である。
【符号の説明】
【０１０７】
１       ドライバ
１０     外カバー
１０１   内壁
１０２   球体
１１     大型弾性体
１２     柱体
１３     小型弾性体
１４     滑動座
１４１   マグネット
１５     筒体
１５１   収納槽
１６     リング
１７     上蓋
１８     桿体
２       外周面
２０     コネクタ
２０１   バネ
２１     位置決め孔
２２     環状凹部
２２１   孔
２３     環状凹部
２３１   Ｃ型リング
２４     片
２４１   凸部
２５     環状カバー
３       環状凹部
３０     コネクタ
３０１   バネ
３２     大型凹孔
３２１   大型球体
３３     小型凹孔
３３１   小型球体
３４     C型リング
３５     環状カバー
３６     ナット
４       ドライバ
４０     コネクタ
４０１   バネ
４１     位置決め孔
４２     凹孔
４２１   球体
４３     凹孔
４３１   球体
４４     係止リング
４５     環状カバー
５       凹溝
５０     コネクタ
５０１   バネ
５０２   三角突起
５１     位置決め孔
５２     大型凹孔
５２１   球体
５３     小型凹孔
５３１   球体
５４     係止リング
５５     環状カバー
６       ドライバ
６０     本体
６１     内部ソケット
６２     吸着部材
６２１   弾性回復体
６２２   吸着体
６３     接続孔
６４     溝
６５     孔
６６     球体
６７     滑動部材
６７１   凹部
６８     弾性体
７       平面
７０     コネクタ
７０１   凸縁部
７１     環状カバー
７１１   環状凸部
７１２   押圧壁
７１３   凹部
７１４   内壁面
７２     孔
７３     係止部材
７４     収納槽
７５     円形槽
７６     位置決めブロック
７６１   弾性体
７６２   凹溝
７６２１ 上方斜辺
７６２２ 下方斜辺
７６３   凹溝
７６４   磁性ブロック
７６５   下方凹溝
７７     弾性体
７８     孔
７８１   球体
８       山線
【図１】
0003140982.tif 000003
【図２】
0003140982.tif 000004
【図３】
0003140982.tif 000005
【図４】
0003140982.tif 000006
【図５】
0003140982.tif 000007
【図６】
0003140982.tif 000008
【図７】
0003140982.tif 000009
【図８】
0003140982.tif 000010
【図９】
0003140982.tif 000011
【図１０】
0003140982.tif 000012
【図１１】
0003140982.tif 000013
【図１２】
0003140982.tif 000014
【図１３】
0003140982.tif 000015
【図１４】
0003140982.tif 000016
【図１５】
0003140982.tif 000017
【図１６】
0003140982.tif 000018
【図１７】
0003140982.tif 000019
【図１８】
0003140982.tif 000020
【図１９】
0003140982.tif 000021
【図２０】
0003140982.tif 000022
【図２１】
0003140982.tif 000023
【図２２】
0003140982.tif 000024
【図２３】
0003140982.tif 000025